(57)【特許請求の範囲】
【請求項１】
カメラを介して生成されるビデオ映像又は動画を映像表示領域に表示する表示モジュールと、
前記映像表示領域に対応して装着されるタッチ領域における接触入力によってタッチデータを生成する入力モジュールと、
前記接触入力が発生し又は感知された時点の時間情報を取得し、前記取得した時間情報に基づいて前記タッチデータを前記ビデオ映像又は動画とミキシングするデータ構成モジュールと、
前記生成されたタッチデータを前記ビデオ映像又は動画と共に記憶する記憶モジュールと、
を備えることを特徴とする移動通信端末機。
【請求項２】
前記タッチ領域は、
透明に形成され前記映像表示領域の全体を覆い又は前記映像表示領域の全体を含むように装着されることを特徴とする請求項１に記載の移動通信端末機。
【請求項３】
前記タッチ領域内で前記接触入力が発生し又は感知された地点の座標情報を算出する入力センサ、
をさらに備え、
前記入力モジュールは、
前記算出された座標情報に基づいて前記タッチデータを生成することを特徴とする請求項１に記載の移動通信端末機。
【請求項４】
前記タッチデータを前記ビデオ映像又は動画と共に前記映像表示領域に表示するように制御する表示制御モジュール、
をさらに備えることを特徴とする請求項１に記載の移動通信端末機。
【請求項５】
前記接触入力が前記タッチ領域上で移動する場合、
前記入力モジュールは、
前記接触入力が移動した動線に対応する線形態のタッチデータを生成することを特徴とする請求項１に記載の移動通信端末機。
【請求項６】
前記表示モジュールは、前記映像表示領域を介してエモティコンを提供し、
前記入力モジュールは、
ユーザが前記エモティコンを選択した後、前記エモティコンと関連した接触入力が発生し又は感知された場合前記接触入力に応じて前記タッチデータとして前記エモティコンを生成することを特徴とする請求項１に記載の移動通信端末機。
【請求項７】
前記ビデオ映像又は動画は、
移動通信端末機に備えられたカメラを介して撮影され、あるいはマルチメディアメッセージサービス（ＭＭＳ）、移動通信端末機の電子メールアプリケーション、移動通信端末機のインターネットアプリケーション、赤外線（ＩｒＤＡ）通信モジュール、又はブルートゥース（登録商標）モジュールを介して移動通信端末機で受信されることを特徴とする請求項１に記載の移動通信端末機。
【請求項８】
前記記憶モジュールは、前記タッチデータを前記ビデオ映像又は動画から分離したデータとして記憶し、かつ前記ビデオ映像又は動画と前記タッチデータとを関連させた関連データを記憶することを特徴とする請求項１に記載の移動通信端末機。
【請求項９】
前記記憶モジュールは、前記タッチデータを前記ビデオ映像又は動画の内蔵データとして記憶することを特徴とする請求項１に記載の移動通信端末機。
【請求項１０】
前記タッチデータと前記ビデオ映像又は動画をエンコードするエンコーダ、
をさらに備えることを特徴とする請求項１に記載の移動通信端末機。
【請求項１１】
カメラを介して生成されるビデオ映像又は動画を映像表示領域に表示し、
前記映像表示領域に対応して装着されるタッチ領域における接触入力によってタッチデータを生成し、
前記タッチデータを前記ビデオ映像又は動画と関連付し、
タイマーを介して前記接触入力が発生し又は感知された時点の時間情報を取得し、
前記取得した時間情報に基づいて前記タッチデータを前記ビデオ映像又は動画とミキシングし、
前記ビデオ映像又は動画と前記関連付けられた前記タッチデータとを共に記憶モジュールに記憶すること、
を含むことを特徴とするデータ入力方法。
【請求項１２】
前記タッチ領域は、
透明に形成され前記映像表示領域の全体を覆い又は前記映像表示領域の全体を含むように装着されることを特徴とする請求項１１に記載のデータ入力方法。
【請求項１３】
前記タッチデータを生成することは、
前記タッチ領域内で前記接触入力が発生し又は感知された地点の座標情報を算出し、
前記算出された座標情報に基づいて前記タッチデータを生成すること、
を含むことを特徴とする請求項１１に記載のデータ入力方法。
【請求項１４】
前記タッチデータを前記ビデオ映像又は動画と共に前記映像表示領域に表示するように制御すること、
をさらに含むことを特徴とする請求項１１に記載のデータ入力方法。
【請求項１５】
前記タッチデータを生成することは、
前記接触入力が前記タッチ領域上で移動する場合、前記接触入力が移動した動線に対応する線形態のタッチデータを生成すること、
を含むことを特徴とする請求項１１に記載のデータ入力方法。
【請求項１６】
前記映像表示領域を介してエモティコンを提供し、
ユーザが前記エモティコンを選択した後、前記エモティコンと関連した接触入力が発生し又は感知された場合前記接触入力に応じて前記タッチデータとして前記エモティコンを生成すること、
をさらに含むことを特徴とする請求項１１に記載のデータ入力方法。
【請求項１７】
前記請求項１１から請求項１６のいずれか一に記載の方法を実行させるためのプログラムを記録したコンピュータ読み取り可能な記録媒体。
【発明の詳細な説明】
【技術分野】
【０００１】
本発明は、映像表示領域上の映像データと共に文字や絵といったタッチデータを表示することができ、タッチ領域におけるタッチ入力に従ったタッチデータを生成することができ、映像データに関連したタッチデータを記憶できるデータ入力方法および移動通信端末機に関する。
【背景技術】
【０００２】
移動通信端末機で提供されるサービスは、通信技術の発達およびユーザの使用の増加に伴い、基本的に提供されていた音声通話サービスおよびショートメッセージサービス（ＳＭＳ）から離れ、より多様なサービス（例えば、ゲーム、無線インターネットなど）に拡大した。最近では、通話中に相手の音声だけではなく、相手の映像までも提供される映像通話（テレビ電話）が提供されている。
【０００３】
一方、ユーザは、移動通信端末機に備えられたカメラを用いて、写真、動画などを撮影することができる。このように撮影された写真、動画などの映像データは、マルチメディアメッセージングサービス（ＭＭＳ）を用いて一つ以上の他の移動通信端末機に送信することもできる。
【０００４】
図１は、従来技術の一実施形態に係る移動通信端末機において、動画を撮影する一例を示す図である。
【０００５】
図に示すように、移動通信端末機は、ユーザの操作によって映像データを生成することができ、生成された映像データを記憶モジュールに記憶することができる。しかしながら、移動通信端末機は、映像データ生成時に、文字または絵などを映像データに挿入することができなかった。すなわち、ＴＶのように撮影された映像の状況に合うように適切な文字やアイコンなどを挿入することができれば、楽しさを最大限に引き出し、理解し易いというメリットが得られるが、現在のところこのような機能を提供することができない。
【０００６】
したがって、本発明では、このような従来技術のすべての問題点を解決するために、カメラを介して生成される映像データを映像表示領域に表示し、映像表示領域に対応して装着されるタッチ領域における接触入力によってタッチデータを生成し、生成されたタッチデータを映像データと共に記憶することで、以降の映像データ再生時に、タッチデータの入力時点に文字、絵などのタッチデータが表示されるようにする新たな技術を提案する。
【発明の概要】
【発明が解決しようとする課題】
【０００７】
本発明の一実施形態は、カメラを介して生成される映像データを映像表示領域に表示し、映像表示領域の全体を覆い又は映像表示領域の全体を含むように映像表示領域に対応して装着されるタッチ領域における接触入力によってタッチデータを生成し、生成されたタッチデータを映像データと共に記憶することで、以降の映像データ再生時に、タッチデータの入力時点に文字、絵などのタッチデータが表示されるようにするデータ入力方法および移動通信端末機を提供することを目的とする。
【０００８】
また、本発明の一実施形態は、タッチ領域で接触入力が発生し又は感知された地点の座標情報を算出し、算出された座標情報に基づいてタッチデータを生成し、移動通信端末機の映像表示領域上に映像データと共に記憶することで、映像の状況に合うように適切な文字やアイコンなどを挿入して楽しさを最大限に引き出すことができるデータ入力方法および移動通信端末機を提供することを他の目的とする。
【課題を解決するための手段】
【０００９】
上述したような本発明の目的を達成するために、本発明の一実施形態に係る移動通信端末機は、
カメラを介して生成されるビデオ映像又は動画を映像表示領域に表示する表示モジュールと、前記映像表示領域に対応して装着されるタッチ領域における接触入力によってタッチデータを生成する入力モジュールと、前記接触入力が発生し又は感知された時点の時間情報を取得し、前記取得した時間情報に基づいて前記タッチデータを前記ビデオ映像又は動画とミキシングするデータ構成モジュールと、前記生成されたタッチデータを前記ビデオ映像又は動画と共に記憶する記憶モジュールとを備えることを特徴とする。
【００１０】
また、本発明の一実施形態に係るデータ入力方法は、
カメラを介して生成されるビデオ映像又は動画を映像表示領域に表示し、前記映像表示領域に対応して装着されるタッチ領域における接触入力によってタッチデータを生成し、前記タッチデータを前記ビデオ映像又は動画と関連付けし、タイマーを介して前記接触入力が発生し又は感知された時点の時間情報を取得し、前記取得した時間情報に基づいて前記タッチデータを前記ビデオ映像又は動画とミキシングし、前記ビデオ映像又は動画と前記関連付けられた前記タッチデータとを共に格記憶モジュールに記憶することを含むことを特徴とする。
【発明の効果】
【００１１】
本発明の一実施形態によれば、カメラを介して生成される映像データを映像表示領域に表示し、透明に形成され映像表示領域の全体を覆い又は映像表示領域の全体を含むように映像表示領域に対応して装着されるタッチ領域における接触入力によってタッチデータを生成し、生成されたタッチデータを映像データと共に記憶することで、以降の映像データ再生時に、タッチデータの入力時点に文字、絵などのタッチデータが表示されるようにする。
【００１２】
また、本発明の一実施形態によれば、タッチ領域で接触入力が発生し感知された地点の座標情報を算出し、算出された座標情報に基づいてタッチデータを生成し、移動通信端末機の映像表示領域上に映像データと共に記憶することで、映像の状況に合うように適切な文やアイコンなどを挿入して楽しさを最大限に引き出すことができるようになる。
【図面の簡単な説明】
【００１３】
【図１】従来技術の一実施形態に係る移動通信端末機において、動画を撮影する一例を示す図である。
【図２】本発明の一実施形態に係る移動通信端末機の構成を示す図である。
【図３】本発明の一実施形態に係る図２に示す移動通信端末機において、映像データを生成する一例を示す図である。
【図４】本発明の他の実施形態に係る移動通信端末機の構成を示す図である。
【図５】本発明の一実施形態に係るデータ入力方法の流れを示すフローチャートである。
【発明を実施するための形態】
【００１４】
以下、添付の図面および添付の図面に記載された内容を参照しながら、本発明の多様な実施形態について詳細に説明するが、本発明が実施形態によって制限または限定されるものではない。図において、大きさや、層や領域の大きさは、明確化のために誇張される場合がある。明細書の全体にわたって同一の参照番号は、同一の構成要素を示す。
【００１５】
本発明で用いられる移動通信端末機は、コンピュータ端末機、ＰＳＴＮ（Ｐｕｂｌｉｃ＿Ｓｗｉｔｃｈｅｄ＿Ｔｅｌｅｐｈｏｎｅ＿Ｎｅｔｗｏｒｋ）端末機、ＶｏＩＰ（Ｖｏｉｃｅ＿ｏｖｅｒ＿Ｉｎｔｅｒｎｅｔ＿Ｐｒｏｔｏｃｏｌ）端末機、ＳＩＰ（Ｓｅｓｓｉｏｎ＿Ｉｎｉｔｉａｔｉｏｎ＿Ｐｒｏｔｏｃｏｌ）端末機、Ｍｅｇａｃｏ（Ｍｅｄｉａ＿ｇａｔｅｗａｙ_ｃｏｎｔｒｏｌ）端末機、ＰＤＡ（Ｐｅｒｓｏｎａｌ＿Ｄｉｇｉｔａｌ＿Ａｓｓｉｓｔａｎｔ）、セルラーフォン、ＰＣＳ（Ｐｅｒｓｏｎａｌ＿Ｃｏｍｍｕｎｉｃａｔｉｏｎ＿Ｓｅｒｖｉｃｅ）フォン、ハンドヘルドＰＣ（Ｈａｎｄ−Ｈｅｌｄ＿ＰＣ）、ＣＤＭＡ（Ｃｏｄｅ＿Ｄｉｖｉｓｉｏｎ＿Ｍｕｌｔｉｐｌｅ＿Ａｃｃｅｓｓ）−２０００（１Ｘ、３Ｘ）フォン、ＷＣＤＭＡ（Ｗｉｄｅｂａｎｄ＿ＣＤＭＡ）フォン、デュアルバンド／デュアルモード（Ｄｕａｌ＿Ｂａｎｄ／Ｄｕａｌ＿Ｍｏｄｅ）フォン、ＧＳＭ（Ｇｌｏｂａｌ＿Ｓｙｓｔｅｍ＿ｆｏｒ＿Ｍｏｂｉｌｅ＿Ｃｏｍｍｕｎｉｃａｔｉｏｎｓ）フォン、ＭＢＳ（Ｍｏｂｉｌｅ＿Ｂｒｏａｄｂａｎｄ＿Ｓｙｓｔｅｍ）フォン、または衛星／地上波ＤＭＢ（Ｄｉｇｉｔａｌ＿Ｍｕｌｔｉｍｅｄｉａ＿Ｂｒｏａｄｃａｓｔｉｎｇ）フォンなどを含む。
【００１６】
図２は、本発明の一実施形態に係る移動通信端末機２００の構成を示す図である。
【００１７】
図に示すように、移動通信端末機２００は、表示モジュール２１０と、表示制御モジュール２２０と、記憶モジュール２３０と、入力モジュール２４０と、入力センサ２５０と、データ構成モジュール２６０とを備えて構成することができる。
【００１８】
表示モジュール２１０は、カメラを介して生成されたり、他の移動通信端末機からマルチメディアメッセージ（ＭＭＳ）などによって受信された映像データを映像表示領域に表示する。映像データは、移動通信端末機２００に備えられたカメラを介して撮影されたり、または他の移動通信端末機からマルチメディアメッセージなどによって受信される静止映像、絵、ビデオ映像又は動画とすることができる。これとは異なり、映像データは、ＰＤＦのようなアプリケーション特定フォーマット又はＪＰＥＧのような映像フォーマットにおける、文字による、映像を伴ったあるいは映像のない文書とすることができる。さらに、映像データは、移動通信端末機によって入力されたり、電子メールサーバ及び移動通信端末機の電子メールアプリケーションを介して、又は移動通信端末機のインターネットアプリケーションを介して、あるいは赤外線（ＩｒＤＡ）通信モジュール又はブルートゥース(登録商標)モジュールを含む近距離無線通信モジュールのようなデバイスからデバイスへの無制限送信機構を含む無線あるいは有線のデータ送信機構を介して、マルチメディアメッセージによって他の移動通信端末機から受信されたりする。映像表示領域は、画面上に映像を表示する領域とすることができる。
【００１９】
入力モジュール２４０は、映像表示領域に対応して装着されるタッチ領域における接触入力によってタッチデータを生成することができる。タッチ領域は、映像表示領域の全体を透明に塗布して装着されるものとすることができる。すなわち、タッチ領域は、ユーザからタッチデータの入力を受けるために、映像表示領域に対応して映像表示領域上に形成することができる。例えば、タッチデータは、文字、数字、絵、エモティコン（顔文字）、図形などグラフィックデータとすることができ、スティック、針、ペン、指などの多様な道具または多様な方式で入力することができる。ユーザは、色や厚さといったタッチデータの他の特徴を選択することもできる。
【００２０】
このために、入力センサ２５０は、タッチ領域で接触入力が発生し又は感知された地点又は地点の連続の座標情報を算出することができる。座標情報は、タッチデータがタッチ領域上のどの部分に入力されたかに対する具体的な情報とすることができ、座標情報からタッチデータを表示する位置及び／又はタッチデータが文字、絵、図形、数字、エモティコンのうちのいずれであるかを確認することができる。
【００２１】
データ構成モジュール２６０は、算出された座標情報に基づいてタッチデータを生成することができる。また、データ構成モジュール２６０は、タイマーを介して接触入力が発生し感知された時点の時間情報を取得し、取得された時間情報と座標情報とに基づいてタッチデータを映像データとミキシング（ｍｉｘｉｎｇ）することができる。
【００２２】
すなわち、データ構成モジュール２６０は、時間情報と座標情報に基づいてタッチデータを映像データとミキシングすることで、以降の映像データ再生時に又は移動通信端末機２００上で表示するために検索されあるいは選択される時に、タッチデータの入力時点に対応する再生中の時間に、前記映像データと共に前記タッチデータが表示モジュール２１０上に表示されるようにする。例えば、合計５分間の映像データが生成され、生成され又は再生されるビデオの２分３０秒時点において「ＤＵＭＭＹ」というタッチデータが入力された場合、データ構成モジュール２６０は、その時点にビデオに表示されるようにタッチデータを映像データとミキシングすることができ、また、表示モジュール２１０は、以降の映像データ再生時の２分３０秒時点において「ＤＵＭＭＹ」というタッチデータを表示する。
【００２３】
また、接触入力がタッチ領域上で移動する場合、データ構成モジュール２６０は、接触入力が移動した動線に対応する線形態のタッチデータを生成することができる。
【００２４】
また、これとは異なり、表示モジュール２１０が映像表示領域を介してエモティコンを提供する場合、ユーザはエモティコンを選択することができ、入力モジュール２４０は、ユーザが前記エモティコンを選択した後、前記エモティコンと関連した接触入力が発生し又は感知された場合、選択されたエモティコンをタッチデータとして生成することができる。
【００２５】
記憶モジュール２３０は、生成されたタッチデータを映像データと共に記憶することができる。すなわち、記憶モジュール２３０は、映像データと関連したデータとして、時間情報と座標情報を含むタッチデータを記憶することができる。本明細書を通じて、タッチデータは、映像データと「関連した」データであると記述されるが、このような記述は多様な記憶オプションを包括することを意味する。１つの記憶オプションは、タッチデータを分離ファイルとして映像データから分離して記憶するが、映像データとタッチデータの関連したデータも生成されて、記憶することができる。このように、記憶モジュール２３０は、タッチデータを含む第１フォーマットの、またはタッチデータを含まない第２フォーマットの映像データを検索することができる。これとは異なり、他の記憶オプションは、映像データの内蔵データ（ｅｍｂｅｄｄｅｄ＿ｄａｔｅ）としてタッチデータを記憶し、タッチデータと映像データは１つのファイルとして記憶モジュール２３０に記憶される。このような１つのファイルは、エンコードされ及び／又は圧縮される。記憶方式に応じ、移動通信端末機のユーザは、例えばＭＭＳなどによって他の移動通信端末機に送信するために、映像データ、タッチデータ、または映像データとタッチデータの結合したデータを選択することができる。これにより、ユーザは、タッチデータを含む映像データを送信したり、映像データとタッチデータを別途で送信したりすることができる。
【００２６】
表示制御モジュール２２０は、生成されたタッチデータが映像データと共に映像表示領域に表示されるように制御する。すなわち、表示制御モジュール２２０は、映像データをタッチデータとミキシングして表示されるように制御することができる。
【００２７】
図３は、本発明の一実施形態に係る図２に示した移動通信端末機において、映像データを生成する一例を示す図である。
【００２８】
図面符号３１０に示すように、移動通信端末機２００は、カメラを介して映像データを生成するときに、タッチ領域におけるユーザからのタッチデータ「ＤＵＭＭＹ」の入力を感知して、該入力データを映像表示領域に表示することができる。ユーザは、指、針、スティック、ペンなどを用いてタッチデータ「ＤＵＭＭＹ]を入力することができる。移動通信端末機２００は、タッチデータ「ＤＵＭＭＹ]が入力された時点の時間情報と、映像表示領域にタッチデータが入力された映像データ上の位置に対応する座標情報に基づいてタッチデータを映像データとミキシングして、タッチデータ「ＤＵＭＭＹ]を記憶モジュール２３０に記憶することができる。
【００２９】
または、図面符号３２０に示すように、移動通信端末機２００は、タッチデータ生成時のタッチデータとしてエモティコン（この例ではハート模様）を感知することができる。タッチデータとしてエモティコンを生成する場合には、ユーザがエモティコンを選択した後、エモティコンを位置させる地点にエモティコンを引き寄せてエモティコンを位置させる座標を設定すれば、移動通信端末機２００は、エモティコンを位置させた、設定された座標にエモティコンを表示することができる。上述したように、移動通信端末機２００は、エモティコンの種類、時間情報、座標情報に基づいてタッチデータを映像データとミキシングして格納モジュール２３０に格納することができる。
【００３０】
一例として、移動通信端末機２００は、選択可能なエモティコンリストを提供し、ユーザが提供されたエモティコンリストのうちから１つ以上のエモティコンを選択することを可能にし、ユーザがエモティコンを選択した後に接触入力が発生し又は感知された時に、選択されたエモティコンをタッチデータとして生成することができる。従って、ユーザは、前記リストに追加するために新しいエモティコンを作成し又は感知することができ、エモティコンリストから既存のエモティコンを書き換え又は消去することができる。
【００３１】
図４は、本発明の他の実施形態に係る移動通信端末機４００の構成を示す図である。
【００３２】
他の実施形態において、移動通信端末機４００は、表示モジュール４１０と、タッチキー入力モジュール４２０と、座標情報抽出＆タッチデータ生成モジュール４３０と、タッチデータ＆マスクデータ＆ビデオカメラデータミキサ４４０と、エンコーダ４５０と、送信モジュール４６０と、記憶装置４７０とを備えて構成することができる。
【００３３】
表示モジュール４１０は、ビデオカメラ（Ｃａｍｃｏｄｅｒ）およびマイク（Ｍｉｃ）を介して入力される映像データを映像表示領域に表示し、タッチキー入力モジュール４２０は、ユーザからのタッチデータの入力を感知することができる。座標情報抽出＆タッチデータ生成モジュール４３０は、ユーザがタッチ領域にタッチする場合、タッチされた座標情報を抽出してタッチデータを生成することができる。このように生成されたタッチデータは、タッチデータ＆マスクデータ＆ビデオカメラデータミキサ４４０で映像データとミキシングすることができる。エンコーダ４５０は、ミキシングされた映像データとタッチデータをエンコードし、移動携帯端末機はエンコードされた映像データ及びタッチデータ（マスクデータ）を記憶装置４７０に記憶することができる。ここで、記憶装置４７０は、エンコードされた映像データ及びタッチデータ（マスクデータ）を単一のエンコードファイルとして記憶する。送信モジュール４６０は、エンコードされた映像データとタッチデータを、イーメールアプリケーションを介して、又はインターネットベースのアプリケーションを介して、あるいは無線あるいは有線のデータ送信機構を介して、ＭＭＳによって他の端末機に送信することができる。
【００３４】
図５は、本発明の一実施形態に係るデータ入力方法の流れを示すフローチャートである。
【００３５】
データ入力方法は、図２の本発明の移動通信端末機２００によって又は図４の移動通信端末機４００によって実現することができる。また、以下では、上述した図２を参照して説明することによって発明の理解を図る。
【００３６】
ステップＳ５１０で、移動通信端末機２００は、カメラを介して生成される映像データを映像表示領域に表示することができる。様々な種類の映像データが詳細に上述されている。映像データは、移動通信端末機２００に備えられたカメラを介して撮影されるものであり、映像表示領域は、カメラを介して撮影される映像を画面に表示する領域とすることができる。
【００３７】
ステップＳ５２０で、移動通信端末機２００は、映像表示領域に対応して装着されるタッチ領域における接触入力によってタッチデータを生成することができる。タッチ領域は、透明に形成され映像表示領域の全体を覆い又は含むことができる。このとき、移動通信端末機２００は、タイマーを介して接触入力が発生し又は感知された時点の時間情報を取得し、タッチ領域において接触入力が発生し又は感知された地点の座標情報を算出することができる。
【００３８】
ステップＳ５３０で、移動通信端末機２００は、生成されたタッチデータを相手の映像データと共に記憶モジュール２３０に記憶することができる。すなわち、移動通信端末機２００は、時間情報と座標情報に基づいてタッチデータを映像データとミキシングし、ミキシングされたデータを記憶モジュール２３０に記憶することで、以降の映像データ再生時に、前記記憶モジュール２３０から前記タッチデータと映像データとを検索できるようにし、タッチデータの入力時点に、表示モジュール２１０上にタッチデータが映像データと共に表示されるようにする。
【００３９】
これと同時に、移動通信端末機２００は、図３に示すように、生成されたタッチデータを映像データと共に映像表示領域に表示することができる
【００４０】
なお、上述した本発明の実施形態は、コンピュータにより実現される多様な動作を実行するためのプログラム命令を含むコンピュータ読取可能な記録媒体に記録することができる。当該記録媒体は、プログラム命令、データファイル、データ構造などを単独または組み合わせて含むこともできる。記録媒体およびプログラム命令は、本発明の目的のために特別に設計されて構成されたものでもよく、コンピュータソフトウェア分野の技術を有する当業者にとって公知であり使用可能なものであってもよい。コンピュータ読取可能な記録媒体の例としては、ハードディスク、フロッピー（登録商標）ディスク及び磁気テープのような磁気媒体、ＣＤ−ＲＯＭ、ＤＶＤのような光記録媒体、フロプティカルディスクのような磁気−光媒体、およびプログラム命令を保存して実行するように特別に構成されたリード・オンリー・メモリ（ＲＯＭ）、ランダム・アクセス・メモリ（ＲＡＭ）、フラッシュメモリなどのハードウェア装置が含まれる。また、記録媒体は、プログラム命令、データ構造などを保存する信号を送信する搬送波を含む光または金属線、導波管などの送信媒体でもある。プログラム命令の例としては、コンパイラによって生成されるような機械語だけでなく、インタプリタなどを用いてコンピュータによって実行され得る高級言語を含む。記述されたハードウェア装置は、プログラム命令を実行するためのプロセッサ及びメモリを備えても構成することができ、本発明の上述した実施形態の動作を行うための１以上のソフトウェアモジュールとして機能するように構成することができる。
【００４１】
本発明の一実施形態によれば、映像表示領域に対応するタッチ領域における接触入力によってタッチデータが生成される。前記タッチデータは、映像データとミキシングされ、映像データが検索されて表示されるときにタッチデータも表示されるように記憶される。
【００４２】
本発明の一実施形態によれば、文字やアイコンや図形のようなタッチデータを映像データとミキシングすることで、ユーザの楽しみが増加する。
【００４３】
上述したように、本発明の好ましい実施形態を参照して説明したが、該当の技術分野において熟練した当業者にとっては、特許請求の範囲に記載された本発明の思想および領域から逸脱しない範囲内で、本発明を多様に修正および変更させることができることを理解することができるであろう。すなわち、本発明の技術的範囲は、特許請求の範囲に基づいて定められ、発明を実施するための最良の形態により制限されるものではない。
【符号の説明】
【００４４】
２００：移動通信端末機
２１０：表示モジュール
２２０：表示制御モジュール
２３０：記憶モジュール
２４０：入力モジュール
２５０：入力センサ
２６０：データ構成モジュール
【図１】
0004855501.tif 000002
【図２】
0004855501.tif 000003
【図３】
0004855501.tif 000004
【図４】
0004855501.tif 000005
【図５】
0004855501.tif 000006